(57)【要約】【課題】ゲーム媒体の取り出し、紙幣の投入、受領が煩雑でない台間装置を提供することである。【解決手段】紙幣払出装置と、紙幣受入装置と、ゲーム媒体払出装置とを備えたゲーム機の間に配置する台間装置において、上から紙幣払出装置、紙幣受入装置、ゲーム媒体払出装置の順に配置したことを特徴とする。【選択図】図１
2004081620.tif 000002
【特許請求の範囲】
【請求項１】
紙幣払出装置（１）と、紙幣受入装置（９９）と、ゲーム媒体払出装置（９５）とを備えたゲーム機（１０１）の間に配置する台間装置において、上から紙幣払出装置（１）、紙幣受入装置（９９）、ゲーム媒体払出装置（９５）の順に配置したことを特徴とするゲーム場の台間装置。
【請求項２】
紙幣受入装置（９９）は、筐体が箱型であり、その筐体の上位側面に紙幣受入案内（１００）が配置されており、紙幣払出装置（１）は筐体（２）が箱型であり、その筐体（２）の下位側面に紙幣払出案内（７０）が配置されている請求項１のゲーム場の台間装置。
【発明の詳細な説明】
【０００１】
【発明が属する技術分野】
本発明は、ゲーム機の間に配置されるゲーム場の台間装置に関する。
詳しくは、利用者の使い勝手に優れた台間装置に関する。
さらに詳しくは、ゲーム媒体払出装置と紙幣受入装置と紙幣払出装置を内蔵した台間装置に関する。
【０００２】
【従来の技術】
パチンコ或いはパチスロ等のゲーム機１０１の間に、それらのゲーム媒体であるパチンコ玉或いはメダルを販売するための台間装置１０２が配置されている。
図４に示すように、従来の台間装置１０２は、縦長箱型の筐体１０３内に、上からゲーム媒体払出装置１０４、代金を受け入れる紙幣識別受入装置１０５、つり札用の紙幣払出装置１０６及び制御装置１０７が内臓されている。
１０８は筐体１０３に固定されたゲーム媒体トレイ、１０９は紙幣識別受入装置に固定された紙幣受入口、１１０は紙幣払出装置１０６に固定された紙幣払出口である。
【０００３】
この従来装置の場合、紙幣受入口１０９がゲーム者の目の高さの側方に位置するため、紙幣を投入し易い反面、ゲーム媒体トレイが目の高さのやや上方になるため、ゲーム媒体をトレイ１０８から取り出す際に背伸びしなければならないという煩雑さがある。
【０００４】
また、ゲーム機の間にゲーム媒体の払出装置と紙幣受入装置を配置し、さらに紙幣受入装置と紙幣払出装置を備えた両替装置をゲーム機の上方に配置することが知られている。（特開平６−１９０１３８号参照）
このものは、両替機の紙幣受入口と紙幣払出口がゲーム機の上方に位置することから、両替の際、座った状態で背伸びするか、立ち上がらねばならないという煩雑さがある。
【０００５】
【発明が解決しようとする課題】
本発明の目的は、ゲーム媒体の取り出し、紙幣の投入、受領が煩雑でない台間装置を提供することである。
【０００６】
【課題を解決するための手段】
この目的を達成するため、本発明にかかる台間装置は、上から下方に向かって紙幣払出装置、紙幣受入装置、ゲーム媒体払出装置の順に配置してある。
【０００７】
この構成において、ゲーム媒体払出装置は最も下位にあり、ゲーム者が手を下げた状態で横方向に動かした辺りに位置する。
したがって、ゲーム者が手を横方向にずらした位置にゲーム媒体払出装置のトレイがあり、自然な姿勢で取り出すことができる。
また、紙幣受入装置の受入口は目線の側方に位置するので、ゲーム者は椅子に座った状態で受入口を目視しながら紙幣を受入口に挿入することができる。
さらに、紙幣払出口はそのやや上方に位置し、紙幣の先端は払出口から手を斜め上方に伸ばして受け取ることができる。
したがって、背伸びすることなくゲーム媒体をトレイから取り出したり、紙幣を挿入したり受け取ることができる。
【０００８】
本発明の紙幣受入装置は、筐体が箱型であり、その筐体の上位側面に紙幣受入案内が配置され、かつ、紙幣払出装置は、筐体が箱型であり、その筐体の下位側面に紙幣払出案内が配置されていることが好ましい。
この構造において、紙幣受入装置は紙幣の保留部が必要であるあるので、所定の高さを有する。
このため、台間装置の中間に配置される紙幣受入装置の紙幣受入案内がその上位側面に配置されることによりゲーム者が座った状態で丁度顔の横に位置するので紙幣の挿入に適した位置になる。
【０００９】
さらに、台間装置の上部に配置される紙幣払出装置の紙幣払出案内がその下位側面に配置されることにより、その紙幣払出案内は台間装置の上部なるもその下方に位置する。
したがって、紙幣受入案内に近い位置に配置されるので、紙幣の受け取りが容易である。
【００１０】
【発明の実施の形態】
図１は、本発明の実施例の台間装置の側面断面図である。
図２は、本発明の実施例の台間装置をゲーム機の間に配置した正面図である。
図３は、本発明の実施例の紙幣払出装置の概略図である。
【００１１】
図１において、台間装置８１は縦長箱状の筐体８２を有する。
筐体８２は、上下方向に区分けされ、大まかには最上部に紙幣払出部８３、その下方に紙幣受入部８４、その下方にゲーム媒体払出部８５、最下部に制御部８６が仕切８７、８８、８９により仕切られている。
紙幣払出部８３及び紙幣受入部８４は、筐体８２に下端縁を係止された第１ドア９１により閉じられる。
【００１２】
第１ドア９１はロック機構９２によって筐体８２にロック可能である。
ゲーム媒体払出部８５は、筐体８２に下端縁を係止された第２ドア９３によって閉じられ、第２ロック機構９４によってロック可能である。
ゲーム媒体払出部８５には例えば公知のホッパー９５が配置され、メダルが筐体８２に固定された深皿状のトレイ９６に払い出される。
【００１３】
ゲーム媒体払出部８５のホッパー９５の上部にはメダル補給部９７が配置され、ドア９８を開くことにより、メダルを補給できるようになっている。
なお、筐体８２の背面から公知のメダル自動補給装置の補給樋を（図示せず）をホッパー９５の上部に伸ばし、メダルを自動的に供給することができる。
紙幣受入部８４には、公知の筐体が矩形である紙幣識別受入装置９９が着脱自在に配置されている。
紙幣受入ガイド１００が紙幣識別受入装置９９の上位側面に固定されている。
【００１４】
紙幣払出部８３には、筐体が矩形の紙幣払出装置１が着脱自在に配置されている。
紙幣払出装置１の下位側面には紙幣払出案内７０が固定されている。
したがって、紙幣受入案内１００と紙幣払出案内７０は上下関係で接近して配置される。
それらの位置は、図２に示すように目線の側方である。
【００１５】
したがって、紙幣を紙幣受入案内１００に挿入するときは、利用者が椅子に座ったまま横を向くことにより紙幣受入案内１００を目視することできるので、目で確認しながら紙幣を案内１００に沿わせて挿入できる。
また、紙幣払出案内７０に払い出された紙幣を受け取るときも、手を顔の側方迄持ち上げて目視確認しながら受け取ることができる。
【００１６】
さらに、ホッパ９５から払い出されたメダルを受け取るときは、下げた手を横方向にあるトレイ９６に差し入れて取り出し、横にずらすだけで側方のゲーム機のメダル受け１１１に移すことができる。
したがって、紙幣の挿入、紙幣の受け取り及びゲーム媒体を受け取る際の動作は最小限の動作で良く、ゲーム者に余計な気遣いをさせないという効果がある。
【００１７】
次に本台間装置８１に適した紙幣払出装置１を説明する。
紙幣払出装置１は、箱形の筐体２を有する。
筐体２内には、台形状の金庫装着部３、紙幣送出装置４、紙幣搬送装置５、一括払出装置６及び制御部７を有する。
【００１８】
金庫装着部３の開口１０は、筐体２にピボット運動可能に取り付けた蓋９により閉じることができる。
金庫装着部３は、開口１０が上下方向に伸びる長辺１０であり、それに平行に対面する短辺１１、それらの間に位置する水平の下辺１２と下辺１２に対面する傾斜辺１３とを有する。
【００１９】
金庫１４は、金庫装着部３と相似形であって、一回り小型である。
金庫１４内は、水平状態の仕切り板１５によって、上側の紙幣保留部１６と下側のリジェクト紙幣保留部１７とに区画されている。
紙幣保留部１４内には、紙幣の積み重ね方向に対し傾斜している底面１８が配置されている。
底面１８に平行に押しつけ板１９が配置され、移動可能である。
押しつけ板１９が、紙幣支え２０である。
【００２０】
金庫１４の傾斜壁２１は、傾斜辺１３と平行であり、中央にキックローラ開口２２が形成されている。
押しつけ板１９は、仕切板１５に固定されたスプリング２３により傾斜壁２１へ向かって付勢され、平行四辺形の紙幣保留室２４内において上下方向に移動できる。
【００２１】
紙幣保留室２４内に保留された紙幣２５は、仕切り板１５に対し傾斜しており、その傾斜角度に関連して紙幣２５の長手方向の長さが筐体２に対し短くなる。
すなわち、紙幣２５は紙幣の積み重ね方向である上下方向に対し傾斜している。紙幣保留室２４の出口に隣接して紙幣２５を一枚ずつ分離する分離装置２７が配置されている。
分離装置２７は、傾斜壁２１に続く直状の固定壁２８と、固定壁２８から所定量離れることができるよう移動可能であり、かつ、回転可能な円柱状の移動ローラー２９とからなっている。
【００２２】
この構成により、紙幣２５が出口から重なって送り出された場合、移動ローラー２９に接する紙幣２５は進行抵抗を受けるので、固定壁２８に接する紙幣２５のみが固定壁２８と移動ローラー２９の間を通過することができる。
分離装置２７の下方のリジェクト紙幣保留部１７の入口部には、引込装置３１が配置されている。
引込装置３１は、送られて来た紙幣２５をリジェクト紙幣保留部１７に引き入れる機能を有し、本実施例では周面が接触した一対のローラー３２、３３である。
【００２３】
筐体２の傾斜辺１３の中間に、紙幣送り出し装置４が配置されている。
紙幣送り出し装置４は、紙幣２５を金庫１４から送り出す機能を有し、本実施例においては、周面の一部が金庫装着部３に位置するキックローラー３４である。
キックローラー３４は、駆動軸３５との間にワンウエイクラッチ３６が介在されており、紙幣２５の引き出し方向に回転される場合、駆動軸３５よりも早い速度で回転されることができる。
【００２４】
金庫１４が金庫装着部３に挿入され、所定の位置に固定されたとき、キックローラー３４の周面の一部がキックローラー開口２２を通って紙幣保留室２４内に位置することができる。
このとき、キックローラー３４の周面は、紙幣保留室２４内の紙幣２５と弾性的に接触する。
【００２５】
キックローラー３４は、図示しないモーターによって所定の時期に時計方向に回転される。
引込装置３１のローラー３２は、筐体２に取り付けられた駆動ローラ３７の周面に圧接し、回転が可能になる。
【００２６】
次に金庫１４から送り出された紙幣２５を一括払出装置６或いはリジェクト紙幣保留部１７へ搬送する機能を有する紙幣搬送装置５を説明する。
紙幣搬送装置５は、第１搬送装置３８と、第１ガイド装置３９と、第２搬送装置４１と、振分装置４２及び第３搬送装置４３を含んでいる。
まず、第１搬送装置３８を説明する。
分離装置２７の側方の筐体２に第１搬送装置３８が配置されている。
【００２７】
第１搬送装置３８は、第１ローラ４４とその下方に位置する第１プレスローラ４５と、第１プレスローラ４５の下流側側方にあって第１ローラ４４に接する第２プレスローラ４６を含んでいる。
第１ローラ４４は、紙幣保留部１５の上方に配置されたモーター５０によって回転駆動される。
【００２８】
次に第１ガイド装置３９を説明する。
第１ガイド装置３９は、モーター５０の側方であって、第１搬送装置３８の上方において第１搬送装置３８に対し僅かにオフセットしている。
【００２９】
第１ガイド装置３９は、回転自在な第２ローラー４７と、その周面に圧接する第３プレスローラー４８及び第４プレスローラー４９を含んでいる。
第２ローラー４７は、第１ローラー４４に対しほぼ半径分オフセットしている。
この構成により、紙幣払出装置１の長さ、したがって、台間装置１０２の奥行きを短くできる。
【００３０】
第３プレスローラー４８と第４プレスローラー４９は、第２ローラー４７を挟んだほぼ水平位置において第２ローラー４７の周面に接している。
第１ガイド措置３９の真下であって、第１搬送装置３８よりも下位に第２搬送装置４１が配置されている。
【００３１】
第２搬送装置４１は、第３ローラー５１と第５プレスローラー５２及び第６プレスローラー５３を含んでいる。
第３ローラー５１は第１ローラー４４によってベルト伝達機構５４を介して逆方向に同一速度で回転される。
【００３２】
第５プレスローラー５２は、第４プレスローラ４９の真下において第３ローラ５１に接している。
第６プレスローラー５３は、第３ローラ５１の下方であって引込装置３１の側方において第３ローラ６１に接している。
【００３３】
第３搬送装置４３は、第２搬送装置４１の真下に位置している。
第３搬送装置４３は、第４ローラー５５と第７プレスローラー５６及び第８プレスローラー５７を含んでいる。
第７プレスローラー５６は、第５プレスローラー５２の真下で第４ローラー５５に接している。
第８プレスローラー５７は、第４ローラー５５にその真下で接している。
第４ローラー５５は、第１ローラー４４によってベルト伝達機構５４を介して逆方向に同一速度で回転される。
【００３４】
振分装置４２は、第１ガイド装置３９から送られる紙幣２５をリジェクト紙幣保留室１７或いは一括払出装置６に振り分ける機能を有する。
本実施例において、振分装置４２は、第２搬送装置４１と第３搬送装置４３の間に配置され、第３ローラー５１と協同して紙幣２５を第６プレスローラ５３に向けて案内するか、払出搬送装置４３へ案内する機能を有する。
【００３５】
振分装置４２は、固定軸５８に回動可能な振分板５９を含んでいる。
振分板５９は、図示しないアクチュエータによって、点線示の払い出し位置或いは実線示のリジェクト位置に移動可能である。
【００３６】
金庫１４から送り出された紙幣２５は、第１ローラー４４を約３分の１周して上方に指向された後、第１ガイド装置３９に約２分の１周されて下方へＵ状に転向された後、第２搬送装置４１に達する。
すなわち、Ｕ状の紙幣通路４０が第１ローラ４４とガイドローラ４７及び第２ローラー５１により構成されている。
【００３７】
第２搬送装置４１に達した紙幣２５は、振分装置４２によって引込装置３１に案内されるか、第３搬送装置４３に案内される。
紙幣２５は、ガイド板によって通路を規制され、前記所定の経路を進行するよう案内される。
【００３８】
第１搬送装置３８、第１ガイド装置３９、第２搬送装置４１、振分装置４２及び第３搬送装置４３を実施例のように配置した場合、紙幣搬送装置５を小型化できるとともに、その中に紙幣の長さセンサーを配置できる利点がある。
ガイドローラー４７、第２ローラ５１及び第４ローラー５５は、同一のローラーが用いられており安価である
【００３９】
次に金庫１４から一枚ずつ送り出された紙幣２５を所定枚数まとめて払い出す機能を有する一括払出装置６を説明する。
一括払出装置６は、金庫装着部３の下方に配置され、一時保留部６０と、紙幣押出装置６１を含んでいる。
紙幣一括送出装置６は、搬送通路７０でもある。
一時保留部６０は、トレイ５８と、紙幣押さえ５９を含んでいる。
トレイ５８は、第８プレスローラ５７の側方に位置し、その底６２は紙幣２５の長さよりも僅かに長く、下辺１２と平行に横たわっている。
【００４０】
紙幣押さえ５９は、第４ローラ５５の近くにおいて一端を筐体２に固定された板バネであり、その先端は、底６２に近接して平行である。
したがって、第３搬送装置４３によって、トレイ５８に送り込まれた紙幣２５は、紙幣押さえ５９によって底６２に押し付けられて保持される。
【００４１】
紙幣押出装置６１は、トレイ５８に一時保留されている複数の紙幣２５を一括して払出口６３に送り出す機能を有している。
払出口６３は筐体２の下方側面に位置し、紙幣払出案内７０に連通している。
紙幣払出案内７０は、断面チャンネル状である。
【００４２】
トレイ５８の上方に一対のタイミングプーリ６４及び６５が配置され、周面に突起６７形成されているベルト６６が巻掛けられている。
タイミングプーリー６４は図示しないモーターにより所定のパターンで回転される。
【００４３】
すなわち、通常は、図１の位置に保持され、紙幣２５を送り出すときに時計方向に回動される。
トレイ５８の下方にそれと平行に配置したガイドレール６８に押出片６９を有するスライダ７１がスライド可能に装着されている。
【００４４】
また、スライダ７１と一体に被動体７２が設けられ、ベルト６６を挟むように被動ピン７３、７４が配置されている。
被動ピン７３と７４は、左右方向にずれて配置されている。
これにより、突起６７が右方へ移動したとき、被動ピン７３を同方向に押すので、押出片６９が同方向へ移動され、紙幣２５の左端部を右方へ押動する。
【００４５】
押出片６９は、プーリー６５を回り込む位置まで被動ピン７３を押し出した後、下側のベルト６６部に位置し、タイミングプーリー６４を回りこむまで被動ピン７４を左方へ押し出す。
これにより、押出片６９は左方へ移動されて待機位置に戻される。
右方へ押し出された紙幣２５の一部は、払出口６３、従って紙幣払出口１１０から押し出される。
払出口６３の近傍の紙幣通路に紙幣センサ８０が配置されている。
【００４６】
次に紙幣センサのレイアウトを説明する。
第１搬送装置３８と金庫装着部３との間の紙幣通路に面して第１センサ７５が配置されている。
第１ガイド装置３９と第２搬送装置４１との間の紙幣通路に面して第２センサ７６が配置されている。
第１センサ７５と第２センサ７６とで長さセンサ７７を構成している。
【００４７】
すなわち、第１センサ７５と第２センサ７６との間の経路長は、紙幣２５の長さよりも短く設定されている。
このため、第２センサ７６が紙幣２５を検知後に第１センサ７５の非検知信号が出力される。
【００４８】
紙幣２５は一定の速度で搬送されるため、第２センサ７６が紙幣検知信号を出力した後、所定時間内に第１センサ７５から紙幣の非検知信号を受けた場合、正常な長さの紙幣であると判定できる。
所定時間よりも短いときは、紙幣が短い場合であり、所定時間よりも長いときは紙幣が長い場合である。
【００４９】
このような所定時間の範囲外の場合、振分板５９が実線位置に保持され、紙幣２５をリジェクト紙幣保留部１７に案内する。
所定時間範囲の場合、紙幣２５は振分板５９が鎖線の位置に移動されて第３搬送装置４３へ案内される。
【００５０】
第２搬送装置４１と引込装置３１との間に第３センサ７８が配置されている。
第３センサ７８の出力が、紙幣検知信号から無し信号に変わったことにより、紙幣２５がリジェクト紙幣保留部１７に収納されたことを間接的に検知し、それに基づいて紙幣繰出装置４を所定時間作動させる。
【００５１】
第７プレスローラ５６と第８プレスローラ５７との間の紙幣通路に相対して第４センサー７９が配置されている。
第４センサー７９の出力が、紙幣検知信号から紙幣無し信号に変わったことにより、紙幣２５が一時保留部６０に収納されたことを間接的に検知し、それに基づいて紙幣繰出装置４を所定時間作動させる。
これら紙幣センサーは、透過式光電センサー、反射式光電センサーまたは機械式センサー等使用できる。
【００５２】
この紙幣払出装置１を用いることにより、台間装置８１のように、狭いスペースであっても、紙幣の長さセンサーにより紙幣２５の重ねだしを防止しつつ紙幣の払い出しを行うことができ、払い出しミスがないという利点がある。
また、紙幣を斜めに保留することにより、奥行きが小さくなるのでゲーム機の奥行きに合わせた台間装置を作ることができる。
【００５３】
【図面の簡単な説明】
【図１】図１は、本発明の実施例の台間装置の側面断面図である。
【図２】図２は、本発明の実施例の台間装置をゲーム機の間に配置した正面図である。
【図３】図３は、本発明の実施例の紙幣払出装置の概略図である。
【図４】図４は、従来の台間装置の概要図である。
【符号の説明】
１　　　紙幣払出装置
２　　　筐体
７０　　　紙幣払出案内
９５　　　ゲーム媒体払出装置
９９　　　紙幣受入装置
１００　　紙幣受入案内
【図１】
2004081620.tif 000003
【図２】
2004081620.tif 000004
【図３】
2004081620.tif 000005
【図４】
2004081620.tif 000006